(57)【要約】【課題】まつ毛を加熱しながら整形でき、あるいはマスカラ液を適温に加熱した状態で塗布でき、全体としてまつ毛の化粧を短時間で行なえるマスカラ塗布具を提供する。【解決手段】マスカラ液を収容する容器１と、容器１に対して着脱される塗布体２と、塗布体２に対して着脱される整形体３とを備えている。塗布体２は、容器１の内部に差し込まれる中空軸状の塗布ロッド１１と、塗布ロッド１１の端部に設けられる塗布部１２とを備えている。整形体３は、塗布ロッド１１に差し込み収納される整形ロッド２１と、加熱整形部２２と、ヒーター２９とを備えている。ヒーター２９は、オフ状態と、２段階のオン状態とに切換え可能とする。整形体３を塗布体２に装着した状態におけるヒーター２９の発熱温度を、整形体３を塗布体２から分離した状態におけるヒーター２９の発熱温度より低温に設定する。【選択図】図１
2014073241.tif 000002
【特許請求の範囲】
【請求項１】
マスカラ液を収容する容器（１）と、容器（１）に対して着脱される塗布体（２）と、塗布体（２）に対して着脱される整形体（３）とを備えており、
塗布体（２）は、容器（１）の内部に差し込まれる中空軸状の塗布ロッド（１１）と、塗布ロッド（１１）の端部に設けられる塗布部（１２）とを備えており、
整形体（３）は、まつ毛をヒーター（２９）の熱で加熱しながら整形する加熱整形部（２２）を備えており、
整形体（３）を塗布体（２）に装着した状態において、整形体（３）の加熱整形部（２２）が塗布体（２）の塗布ロッド（１１）の内部に収納してあることを特徴とするマスカラ塗布具。
【請求項２】
塗布体（２）に、容器（１）の出入口（４）に着脱される塗布グリップ（１０）が設けられており、
整形体（３）に、塗布グリップ（１０）に着脱される整形グリップ（２０）が設けられており、
容器（１）に塗布体（２）を装着し、塗布体（２）に整形体（３）を装着した状態において、塗布グリップ（１０）の周面と、整形グリップ（２０）の周面とが連続している請求項１に記載のマスカラ塗布具。
【請求項３】
整形体（３）が、整形ロッド（２１）と、整形ロッド（２１）の突端に設けられる加熱整形部（２２）とを備えており、
整形体（３）を塗布体（２）に装着した状態において、整形体（３）の整形ロッド（２１）が塗布ロッド（１１）に差込まれて、加熱整形部（２２）が塗布体（２）の塗布部（１２）の内部に収納されている請求項１または２に記載のマスカラ塗布具。
【請求項４】
容器（１）と、塗布体（２）と、整形体（３）のそれぞれの断面形状と直径が略同一に形成され、記載した順番で隣接するように直線状に配置してある請求項２または３に記載のマスカラ塗布具。
【請求項５】
整形グリップ（２０）の上下長さが、塗布グリップ（１０）の上下長さより大きく設定されており、
整形体（３）を塗布体（２）に装着した状態において、塗布グリップ（１０）および整形グリップ（２０）の複数箇所を手指で支えることができる請求項２、３または４のいずれかひとつに記載のマスカラ塗布具。
【請求項６】
整形体（３）を塗布体（２）に装着した状態において、整形グリップ（２０）が塗布グリップ（１０）の内部に収納してある請求項１または３に記載のマスカラ塗布具。
【請求項７】
塗布体（２）と、塗布体（２）に対して着脱される整形体（３）とを備えており、
塗布体（２）は、中空軸状の塗布ロッド（１１）と、塗布ロッド（１１）の端部に設けられる塗布部（１２）とを備えており、
整形体（３）は、塗布ロッド（１１）に差し込み収納される整形ロッド（２１）と、整形ロッド（２１）の端部に設けられる加熱整形部（２２）と、加熱整形部（２２）の内部に設けられるヒーター（２９）とを備えており、
ヒーター（２９）に対する通電状態は、オフ状態と、発熱温度が大小に異なる少なくとも２段階のオン状態とに切換え可能に構成されており、
整形体（３）を塗布体（２）に装着した状態におけるヒーター（２９）の発熱温度が、整形体（３）を塗布体（２）から分離した状態におけるヒーター（２９）の発熱温度より低温に設定してあることを特徴とするマスカラ塗布具。
【請求項８】
塗布ロッド（１１）を支持するキャップ（１０）と、整形ロッド（２１）を支持する整形グリップ（２０）とが着脱可能に設けられており、
キャップ（１０）と整形グリップ（２０）との接当部に、整形体（３）が塗布体（２）に装着されたことを検知する検知スイッチ（１１０）が設けられており、
前記検知スイッチ（１１０）の検知信号に基づき、ヒーター（２９）の発熱状態が低温状態に設定される請求項７に記載のマスカラ塗布具。
【請求項９】
塗布ロッド（１１）を支持するキャップ（１０）と、整形ロッド（２１）を支持する整形グリップ（２０）とが着脱可能に設けられており、
整形グリップ（２０）にヒーター（２９）への通電状態を切換えるスイッチノブ（３４）が設けられており、
スイッチノブ（３４）は、ヒーター（２９）の発熱状態が低温状態に設定される第１のオン状態と、ヒーター（２９）の発熱状態が高温状態に設定される第２のオン状態とに切換え可能に構成されており、
スイッチノブ（３４）の移動軌跡に臨むキャップ（１０）に、スイッチノブ（３４）の切換え動作を規制する規制部（５６）が設けられており、
整形体（３）を塗布体（２）に装着した状態において、第１のオン状態に切換えられたスイッチノブ（３４）を前記規制部（５６）で受止めて、ヒーター（２９）の発熱状態が低温状態に設定される請求項７に記載のマスカラ塗布具。
【請求項１０】
塗布体（２）がマスカラ液を収容する容器（１）に着脱自在に装着されて、塗布ロッド（１１）が容器（１）の内部に差し込まれており、
塗布体（２）のキャップ（１０）に、容器（１）用の連結部と、整形体（３）用の連結部とが設けられており、
容器（１）用の連結部に、前記規制部（５６）が設けてある請求項９に記載のマスカラ塗布具。
【請求項１１】
スイッチノブ（３４）と、同ノブ（３４）の内面側に設けたストッパー（９３）とが、整形グリップ（２０）に設けたノブ座（９２）でスライド案内されており、
ストッパー（９３）のスライド軌跡に臨む容器（１）用の連結部に、前記規制部（５６）が設けてある請求項１０に記載のマスカラ塗布具。
【請求項１２】
キャップ（１０）に設けた容器（１）用の連結部がねじキャップ（５２）で構成されており、
規制部（５６）が、ストッパー（９３）のスライド軌跡に臨むねじキャップ（５２）の肩壁に形成してある請求項１０または１１に記載のマスカラ塗布具。
【請求項１３】
整形体（３）用の連結部が、ねじキャップ（５２）に連続する連結ボス（５４）と、連結ボス（５４）の周囲に設けた連結溝（５５）とで構成されており、
整形グリップ（２０）の内部に、前記連結溝（５５）を係合捕捉する複数の弾性連結腕（６８）を備えた連結リング（６４）が配置されており、
連結リング（６４）の周囲に、ストッパー（９３）をスライド案内するガイド凹部（６９）が形成してある請求項１１または１２に記載のマスカラ塗布具。
【発明の詳細な説明】
【技術分野】
【０００１】
本発明は、マスカラ容器と、マスカラ液の塗布体と、まつ毛整形体を備えているマスカラ塗布具に関する。
【背景技術】
【０００２】
本発明のマスカラ塗布具に関して、特許文献１の塗布器具が公知である。そこでは、マスカラ液を収容する容器およびキャップと、塗布ヘッドを備えた塗布具と、塗布ヘッドを加熱する加熱装置などで塗布器具を構成している。摘みを兼ねるキャップの内部には、加熱装置の電源となる電池が配置してあり、キャップと一体化された塗布具の塗布ヘッドの内部には、抵抗加熱素子が配置してある。容器にねじ込まれたキャップを容器から取外すと、給電用の回路が閉じられて抵抗加熱素子を発熱させることができ、この熱で塗布ヘッドの基部表面に付着したマスカラ液を加熱して均一に拡散し流動させた状態でまつ毛に塗布できる。
【０００３】
同様に、発熱体を備えたマスカラパッケージが特許文献２に開示されている。そこでは、マスカラ液を収容する容器および取っ手（キャップ）と、取っ手の下部に突出されるブラシ棒と、ブラシ棒の下部に設けた発熱塗布部と、取っ手の内部に収容した電池などでマスカラパッケージを構成している。取っ手の外面にはスイッチノブが設けてあり、このノブをオン操作することにより発熱体に通電して発熱塗布部を加熱し、発熱塗布部の外面のブリッスルに付着したマスカラ液を加熱された状態でまつ毛に塗布できる。さらに、発熱塗布部を容器内に収容した状態のままで、スイッチノブをオン操作することにより、低温のマスカラ液を加熱してその粘度を低下させることができる。
【先行技術文献】
【特許文献】
【０００４】
【特許文献１】特開２００８−２１２６８８号公報（段落番号００３１〜００３２、図２）
【特許文献２】特表２００９−５３２０８３号公報（段落番号００３３〜００３４、図２）
【発明の概要】
【発明が解決しようとする課題】
【０００５】
特許文献１のマスカラ塗布具によれば、キャップを容器から取外す動作に連動して抵抗加熱素子を発熱させ、塗布ヘッドに付着したマスカラ液を加熱し均一に拡散し流動させた状態でまつ毛に塗布できる。しかし、特許文献１のマスカラ塗布具は、マスカラ液をまつ毛に塗布する機能を備えているに過ぎない。そのため、前段のまつ毛をカールする作業と、後段のまつ毛に付着したダマ（マスカラ塊）を除去する作業を行う際に、別途まつ毛整形具とマスカラコームを用意する必要があり、一連の作業が煩雑で化粧に多くの手間が掛かってしまう。
【０００６】
その点、特許文献２のマスカラ塗布具は、発熱塗布部にまつ毛をカールする櫛と、マスカラ液を塗布するブラシとが設けてあるので、一連の作業を少ない手間で行うことができる。しかし、まつ毛をカールするための櫛がブラシと共に、容器内のマスカラ液に浸漬されるため、まつ毛をカールする際には、櫛に付着したマスカラ液を除去する必要があり、余分な手間が掛かる。マスカラ液が無駄に消費される不利もある。
【０００７】
また、特許文献２のマスカラ塗布具は、発熱塗布部の温度を高い温度に設定しておくことにより、まつ毛を櫛で好適にカールできる。しかし、まつ毛のカールに適した温度でマスカラ液を加熱すると、マスカラ液が過度に加熱されて劣化し、あるいは溶剤が蒸散するなどの不具合を生じる。逆に、発熱塗布部の温度を低い温度に設定しておくと、マスカラ液の劣化を防ぎながらその粘度を低下できるが、まつ毛を充分に加熱することができないので、まつ毛のカールに多くの手間と時間が掛かる。こうした不具合は、まつ毛のカールに適した温度と、マスカラ液の粘度を低下させるのに好適な温度とに大きな開きがあるからである。また、発熱塗布部の熱で櫛、およびマスカラ液を直接的に加熱することも一因となっている。
【０００８】
本発明の目的は、まつ毛の整形およびカールを行う整形体と、マスカラ液を塗布する塗布体とを備えていて、まつ毛を適温に加熱しながら整形でき、あるいはマスカラ液を適温に加熱して劣化を防ぎながら粘度を低下できるマスカラ塗布具を提供することにある。
本発明の目的は、まつ毛を化粧する過程で、まつ毛の整形およびカール作業と、マスカラ液の塗布とをより少ない手間で連続して行なうことができる、多機能化されたマスカラ塗布具を提供することにある。
本発明の目的は、まつ毛を整形体で整形する場合と、マスカラ液を塗布体で塗布する場合とで、ヒーターの発熱状態を異ならせて温度状態を個々に好適化し、まつ毛の整形およびマスカラ液の塗布をそれぞれ効果的に行なえるマスカラ塗布具を提供することにある。
【課題を解決するための手段】
【０００９】
本発明のマスカラ塗布具は、図１９に示すように、マスカラ液を収容する容器１と、容器１に対して着脱される塗布体２と、塗布体２に対して着脱される整形体３とを備えている。塗布体２は、容器１の内部に差し込まれる中空軸状の塗布ロッド１１と、塗布ロッド１１の端部に設けられる塗布部１２とを備えている。整形体３は、まつ毛をヒーター２９の熱で加熱しながら整形する加熱整形部２２を備えている。整形体３を塗布体２に装着した状態において、整形体３の加熱整形部２２が塗布体２の塗布ロッド１１の内部に収納してあることを特徴とする。
【００１０】
塗布体２に、容器１の出入口４に着脱される塗布グリップ（キャップ）１０を設ける。整形体３に、塗布グリップ１０に着脱される整形グリップ２０を設ける。容器１に塗布体２を装着し、塗布体２に整形体３を装着した状態において、塗布グリップ１０の周面と、整形グリップ２０の周面とを連続させる。
【００１１】
整形体３は、整形ロッド２１と、整形ロッド２１の突端部に設けられる加熱整形部２２とを備えている。図２１に示すように、整形体３を塗布体２に装着した状態において、整形体３の整形ロッド２１が塗布ロッド１１に差込まれて、加熱整形部２２が塗布体２の塗布部１２の内部に収納されるようにする。
【００１２】
容器１と、塗布体２と、整形体３のそれぞれの断面形状と直径が略同一に形成され、記載した順番で隣接するように直線状に配置する。
【００１３】
整形グリップ２０の上下長さを、塗布グリップ（キャップ）１０の上下長さより大きく設定して、整形体３を塗布体２に装着した状態において、塗布グリップ１０および整形グリップ２０の複数箇所を手指で支えることができるようにする。
【００１４】
整形体３を塗布体２に装着した状態において、整形グリップ２０を塗布グリップ（キャップ）１０の内部に収納する（図２７参照）。
【００１５】
本発明に係る別のマスカラ塗布具は、図２に示すように、塗布体２と、塗布体２に対して着脱される整形体３とを備えている。図１に示すように、塗布体２は、中空軸状の塗布ロッド１１と、塗布ロッド１１の端部に設けられる塗布部１２とを備えている。整形体３は、塗布ロッド１１に差し込み収納される整形ロッド２１と、整形ロッド２１の端部に設けられる加熱整形部２２と、加熱整形部２２の内部に設けられるヒーター２９とを備えている。ヒーター２９に対する通電状態は、オフ状態と、発熱温度が大小に異なる少なくとも２段階のオン状態とに切換え可能に構成してある。整形体３を塗布体２に装着した状態におけるヒーター２９の発熱温度が、整形体３を塗布体２から分離した状態におけるヒーター２９の発熱温度より低温に設定してあることを特徴とする。
【００１６】
塗布ロッド１１を支持するキャップ１０と、整形ロッド２１を支持する整形グリップ２０とは着脱可能に設ける。図１７に示すように、キャップ１０と整形グリップ２０との接当部に、整形体３が塗布体２に装着されたことを検知する検知スイッチ１１０を設ける。検知スイッチ１１０の検知信号に基づき、ヒーター２９の発熱状態を低温状態に設定する。
【００１７】
塗布ロッド１１を支持するキャップ１０と、整形ロッド２１を支持する整形グリップ２０とは着脱可能に設ける。整形グリップ２０にヒーター２９への通電状態を切換えるスイッチノブ３４を設ける。スイッチノブ３４は、ヒーター２９の発熱状態が低温状態に設定される第１のオン状態と、ヒーター２９の発熱状態が高温状態に設定される第２のオン状態とに切換え可能に構成する。スイッチノブ３４の移動軌跡に臨むキャップ１０に、スイッチノブ３４の切換え動作を規制する規制部５６を設ける。図１に示すように、整形体３を塗布体２に装着した状態において、第１のオン状態に切換えられたスイッチノブ３４を規制部５６で受止めて、ヒーター２９の発熱状態を低温状態に設定する。
【００１８】
塗布体２はマスカラ液を収容する容器１に着脱自在に装着されて、塗布ロッド１１が容器１の内部に差し込まれている。塗布体２のキャップ１０に、容器１用の連結部と、整形体３用の連結部を設ける。容器１用の連結部に規制部５６を設ける。
【００１９】
スイッチノブ３４と、同ノブ３４の内面側に設けたストッパー９３を、整形グリップ２０に設けたノブ座９２でスライド案内する。ストッパー９３のスライド軌跡に臨む容器１用の連結部に、規制部５６を設ける。
【００２０】
キャップ１０に設けた容器１用の連結部をねじキャップ５２で構成する。規制部５６は、ストッパー９３のスライド軌跡に臨むねじキャップ５２の肩壁に形成する。
【００２１】
整形体３用の連結部を、ねじキャップ５２に連続する連結ボス５４と、連結ボス５４の周囲に設けた連結溝５５とで構成する。整形グリップ２０の内部に、連結溝５５を係合捕捉する複数の弾性連結腕６８を備えた連結リング６４を配置する。連結リング６４の周囲に、ストッパー９３をスライド案内するガイド凹部６９を形成する。
【発明の効果】
【００２２】
本発明においては、容器１、塗布体２、および整形体３でマスカラ塗布具を構成し、整形体３を塗布体２に装着した状態において、整形体３の加熱整形部２２が塗布体２の塗布ロッド１１の内部に収納されるようにした。このように、塗布体２と整形体３を備えたマスカラ塗布具によれば、整形体３を塗布体２から分離することにより、整形体３の加熱整形部２２でまつ毛を加熱しながら整形することができる。また、加熱整形部２２を塗布体２の塗布ロッド１１の内部に収納した状態で使用することにより、塗布部１２に含ませたマスカラ液をまつ毛に塗布できる。さらに、環境温度が低い場合には、加熱整形部２２を加熱して、その熱で塗布部１２に含ませたマスカラ液を加熱した状態で塗布することができるので、マスカラ液を効果的に塗布できる。加えて、塗布部１２および加熱整形部２２を容器１内に収容した状態で、加熱整形部２２を加熱することにより、マスカラ液を塗布部１２を介して間接的に加熱できるので、マスカラ液が過度に加熱されて劣化するのを防ぎながら、その粘度を低下できる。
【００２３】
塗布体２を利用して不使用状態の整形体３を収納するので、整形体３が他の化粧用具に紛れ込んだり、紛失するのをよく防止できるうえ、整形体３に設けた加熱整形部２２を塗布ロッド１１で保護できる利点もある。さらに、色や性質が異なるマスカラ液を収容する複数の容器１および塗布体２を用意しておけば、整形体３を個々の塗布体２に差換えて使用することにより、複数種のマスカラ液をそれぞれ加熱した状態で塗布できる。
【００２４】
塗布体２に塗布グリップ１０を設け、整形体３に整形グリップ２０を設けると、塗布グリップ１０を持った状態でマスカラ液を塗布でき、さらに、整形グリップ２０を持ってまつ毛の整形を行なうことができる。また、塗布体２と整形体３を一体化した状態では、両グリップ１０・２０を持った状態で塗布体２を使用してマスカラ液を塗布できる。このように、ユーザーは各グリップ１０・２０を好みの状態にして、塗布体２によるマスカラ液の塗布と、整形体３によるまつ毛の整形とを行えるので、マスカラ塗布具の使い勝手を向上できる。さらに、塗布体２と整形体３を一体化した状態において、塗布グリップ１０と整形グリップ２０の周面を連続させると、両グリップ１０・２０の一体感を強調することができ、従って、マスカラ塗布具の全体の印象をシンプルなものとして、高級感を醸すことができる。
【００２５】
整形体３に整形ロッド２１と加熱整形部２２を設け、整形体３を塗布体２に装着した状態において、図２１に示すように、加熱整形部２２を塗布体２の塗布部１２の内部に収納すると、加熱整形部２２の熱を効率よく塗布部１２へ伝導することができる。これにより、塗布部１２に保持されたマスカラ液を効果的に加熱して、均一に拡散し流動させた状態のマスカラ液をまつ毛にむらなく的確に塗布できる。
【００２６】
容器１と、塗布体２と、整形体３のそれぞれの断面形状と直径を略同一にし、記載した順番で隣接するように直線状に配置すると、鉛筆を片手で持つのと同様の握り方で塗布体２および整形体３を支持して、マスカラ液の塗布を行なうことができる。つまり、塗布部１２を安定した状態で保持してマスカラ液の塗布を簡便に行なうことができる。また、容器１、塗布体２、整形体３の三者を、記載した順番で隣接するように直線状に配置するので、マスカラ塗布具の全体の印象をさらにシンプルで細身な印象にして高級感を醸すことができる。
【００２７】
整形グリップ２０の上下長さを、塗布グリップ１０の上下長さより大きく設定したマスカラ塗布具によれば、整形体３を取外して塗布グリップ１０を摘んだ状態で、マスカラ液の塗布を軽快に行なうことができる。さらに、整形体３を塗布体２に装着して、塗布グリップ１０および整形グリップ２０の複数箇所を手指で支えた状態、つまり鉛筆を片手で持つのと同様に握って、マスカラ液の塗布を安定した状態で行なうことができる。
【００２８】
整形体３を塗布体２に装着した状態において、整形グリップ２０を塗布グリップ１０の内部に収納すると、整形グリップ２０の長さ分だけマスカラ塗布具の全長を小さくし、コンパクト化できる。また、外観を丸棒状のシンプルなものとしながら、その縦横の寸法差を小さくしてデザイン性を向上できる。さらに、整形グリップ２０の内部に収容される電池３３を塗布グリップ１０で保護できるので、マスカラ塗布具の耐久性を向上できる。
【００２９】
本発明の別のマスカラ塗布具においては、塗布体２および整形体３でマスカラ塗布具を構成し、整形体３を塗布体２に装着した状態において、整形体３の加熱整形部２２が塗布体２の塗布ロッド１１の内部に収納されるようにした。このように、塗布体２と整形体３を備えたマスカラ塗布具によれば、整形体３を塗布体２から分離することにより、整形体３の加熱整形部２２でまつ毛を加熱しながら整形することができる。また、加熱整形部２２を塗布体２の塗布ロッド１１の内部に収納した状態で使用することにより、塗布部１２に含ませたマスカラ液をまつ毛に塗布できる。従って、本発明に係るマスカラ塗布具によれば、まつ毛を化粧する過程で、まつ毛の整形およびカール作業と、マスカラ液の塗布とをより少ない手間で連続して行なうことができる多機能化されたマスカラ塗布具を提供できる。
【００３０】
また、整形体３を塗布体２に装着した状態におけるヒーター２９の発熱温度を、整形体３を塗布体２から分離した状態におけるヒーター２９の発熱温度より低温に設定するので、まつ毛を整形体３で整形する場合と、マスカラ液を塗布体２で塗布する場合とで、ヒーター２９の温度状態を個々に好適化できる。マスカラ液を塗布する場合には、発熱温度が低温に設定してあるので、塗布部１２に付着したマスカラ液に含まれる溶剤などの揮発成分がいたずらに蒸散するのを防止できる。従って、マスカラ液が変質し劣化するのを防止しながらその粘度を低下させ、均一に拡散されて適度の流動性を備えたマスカラ液を塗布部１２に付着させて、まつ毛に対するマスカラ液の塗布を好適に行なうことができる。また、まつ毛を整形体３で整形する場合には、マスカラ液を塗布体２で塗布する場合に比べて、ヒーター２９の発熱温度が高い温度に設定されるので、まつ毛を的確に整形しカールすることができる。従って、まつ毛の整形およびマスカラ液の塗布をそれぞれ効果的に行なうことができる。
【００３１】
キャップ１０と整形グリップ２０との接当部に検知スイッチ１１０を設け、同スイッチ１１０の検知信号に基づきヒーター２９の発熱状態を低温状態に設定すると、塗布体２に整形体３を装着するだけでヒーター２９の発熱状態を適温にできる。従って、ヒーター２９の発熱状態の切換えをユーザーに委ねる場合に比べて、マスカラ塗布具を使用するときの手間を軽減して使い勝手を向上できる。また、ヒーター２９の発熱状態が、ユーザーの勘違いで過剰になったり、不足したりすることを一掃できる。
【００３２】
整形体３を塗布体２に装着した状態において、スイッチノブ３４をキャップ１０に設けた規制部５６で受止めて、ヒーター２９の発熱状態を低温状態に保持すると、スイッチノブ３４がユーザーの手で切換えられる場合であっても、誤操作を確実に防止してヒーター２９を適正な温度状態に保持できる。また、スイッチノブ３４が第２のオン状態に切換えられるのを規制部５６で機械的に阻止するので、ユーザーが塗布体２を容器１に装着して、整形体３を塗布体２から分離しない限りはスイッチノブ３４が切換わるのを阻止し続けることができる。
【００３３】
塗布体２のキャップ１０に設けた容器１用の連結部を利用して規制部５６を設けると、塗布体２と整形体３の接合部の近傍位置に規制部５６を配置できるので、スイッチノブ３４の移動を阻止するための構造を簡素化できる。さらに、構造強度が大きなキャップ１０に規制部５６を設けるので、スイッチノブ３４の移動を阻止する機能を長期わたって安定した状態で発揮できる。
【００３４】
スイッチノブ３４とストッパー９３をノブ座９２でスライド案内し、ストッパー９３のスライド軌跡に臨む容器１用の連結部に規制部５６を設けると、スイッチノブ３４の移動を阻止するための構造を、スイッチノブ３４およびノブ座９２で覆い隠すことができる。従って、マスカラ塗布具の外観の印象をすっきりとしたものにして高級感を醸すことができる。また、ノブ座９２の内面壁でストッパー９３をスライド案内するので、スイッチノブ３４をオフ状態から、第１、第２のオン状態に切換える場合に、ストッパー９３を円滑にスライド案内できる。
【００３５】
容器１用の連結部をねじキャップ５２で構成し、その肩壁を規制部５６として利用すると、キャップ１０の側に別途規制部５６に相当する構造を設ける必要がないので、構造を簡素化して、その分だけマスカラ塗布具の製造コストを削減することができる。また、ストッパー９３のスライド軌跡に臨むねじキャップ５２の肩壁に規制部５６を設けるので、ストッパー９３を規制部５６で強固に受止めて、スイッチノブ３４が第１のオン状態から第２のオン状態に切換るのを確実に防止できる。
【００３６】
整形体３用の連結部を連結ボス５４と連結溝５５とで構成し、整形グリップ２０の内部に、複数の弾性連結腕６８を備えた連結リング６４を配置すると、塗布体２を容器１にねじ込み装着した状態において、整形体３を抜外し操作するだけで、整形体３を塗布体２から簡単に分離できる。また、整形体３を塗布体２に差込み操作するだけで、整形体３を塗布体２と一体化することができ、全体として整形体３の塗布体２に対する着脱を簡便に行える。さらに、連結リング６４に設けたガイド凹部６９でストッパー９３をスライド案内すると、スイッチノブ３４をオフ状態から第１、第２のオン状態に切換える場合に、ストッパー９３をノブ座９２とガイド凹部６９とで内外に挟んだ状態で、さらに円滑にスライド案内できる。
【図面の簡単な説明】
【００３７】
【図１】本発明に係るマスカラ塗布具の塗布体の構造を示す縦断正面図である。
【図２】塗布部を容器から取り外した状態のマスカラ塗布具の正面図である。
【図３】マスカラ塗布具の分解断面図である。
【図４】図８におけるＤ−Ｄ線断面図である。
【図５】塗布体と整形体を分離した状態の縦断正面図である。
【図６】加熱整形部の縦断正面図である。
【図７】図１におけるＥ−Ｅ線断面図である。
【図８】塗布体と整形体を結合した状態の縦断正面図である。
【図９】スイッチ構造に適用される節度構造の横断平面図である。
【図１０】スイッチノブと制御回路の関係を示す説明図である。
【図１１】ヒーターの温度制御形態を示すブロック図である。
【図１２】コンパレータの動作原理を示すタイミングチャートである。
【図１３】不使用状態におけるスイッチノブの状態を示す縦断正面図である。
【図１４】まつ毛整形時のスイッチノブの状態を示す縦断正面図である。
【図１５】まつ毛整形時のマスカラ塗布具を示す一部破断正面図である。
【図１６】図８におけるＦ−Ｆ線断面図である。
【図１７】別の実施例に係るマスカラ塗布具の要部の断面図である。
【図１８】図１７に係るヒーターの温度制御形態を示す説明図である。
【図１９】別の実施例に係るマスカラ塗布具の分解正面図である。
【図２０】別の実施例に係るマスカラ塗布具の正面図である。
【図２１】塗布部および加熱整形部の詳細を示す縦断面図である。
【図２２】図２１におけるＡ−Ａ線断面図である。
【図２３】図２１におけるＢ−Ｂ線断面図である。
【図２４】マスカラ塗布具の使用例を示す説明図である。
【図２５】まつ毛の整形状況、およびマスカラ液の塗布状況を示す説明図である。
【図２６】本発明に係るマスカラ塗布具の別実施例を示す分解断面図である。
【図２７】本発明に係るマスカラ塗布具の別実施例を示す分解正面図である。
【図２８】本発明に係る整形体の別実施例を示す断面図である。
【図２９】本発明に係るマスカラ塗布具の別実施例を示す断面図である。
【発明を実施するための形態】
【００３８】
（実施例）  図１ないし図７は本発明に係るマスカラ塗布具の実施例を示す。本発明における前後、左右、上下とは、図１よび図２に示す交差矢印と、各矢印の近傍に表記した前後、左右、上下の表示に従う。図２においてマスカラ塗布具は、マスカラ液を収容する容器１と、容器１に対して着脱される塗布体２と、塗布体２に対して着脱される整形体３などで構成する。
【００３９】
容器１は円筒状に形成してあり、その上端に塗布体２の出入口４が開口してある。出入口４の周面にはねじ軸５が形成してあり、出入口４の内面には余分に付着したマスカラ液をしごき落とすワイパー６が設けてある。ワイパー６は、ゴムまたはプラスチック材で形成した筒体からなり、その底壁にしごき開口７が形成してある。
【００４０】
図１において塗布体２は、容器１の出入口４に着脱される円筒状のキャップ（塗布グリップ）１０と、容器１の内部に差込まれる先端が閉塞された中空軸状の塗布ロッド１１と、塗布ロッド１１の下端部に設けられる塗布部１２とで構成する。キャップ１０には、容器１用の連結部と整形体３用の連結部とが設けてある。容器１用の連結部は、キャップ１０の殆どを占めるねじキャップ５２で構成されており、その内面に、先のねじ軸５に対応するねじ穴１６が形成してある。キャップ１０の外面には上下方向に長い位置決めリブ５３が形成してある。
【００４１】
整形体３用の連結部は、ねじキャップ５２の上部に連続する連結ボス５４と、連結ボス５４の周面に周回状に形成される連結溝５５とで構成する。連結ボス５４の外直径は、ねじキャップ５２の外直径より小さく設定してあり、連結ボス５４の基端とねじキャップ５２との間の肩壁が、後述するストッパー９３の規制部５６として機能する。連結ボス５４の内面に、先の塗布ロッド１１の上端に設けたロッドボス５７を圧嵌係合することにより、塗布ロッド１１がキャップ１０に対して分離不能に一体化してある。図１に示すように、塗布部１２は塗布ロッド１１の周囲一側に形成した櫛歯（塗布要素）１８の一群で構成されており、隣接する櫛歯１８の間にマスカラ液を保持することができる。図７に示すように、櫛歯１８は先端が丸められた舌片状に形成してある。塗布部１２の全体をヒーター２９の熱で速やかに加熱するために、櫛歯１８を支持する塗布部１２の周囲壁の厚みは、他の周囲壁の厚みより薄く設定してある。
【００４２】
整形体３は、マスカラ塗布具の本体ケースを兼ねる円筒状の整形グリップ２０と、整形グリップ２０の下端から下向きに突出する中空の整形ロッド２１と、整形ロッド２１の下端（突端）に設けられる加熱整形部２２などで構成する。整形グリップ２０の上半一側には樋体状の電池蓋２４が着脱可能に設けてあり、その下側に樋体状の基板カバー６０が配置してある。整形グリップ２０の内部には、電池３３、制御基板６１、スイッチ構造などが収容してある。また、整形グリップ２０の下端部分の一側には、ヒーター２９への通電状態をオン・オフするスイッチノブ３４が設けてあり、他側には先の位置決めリブ５３を受入れる位置決め溝５８が形成してある。スイッチノブ３４の下端は、整形グリップ２０とキャップ１０との接当部に臨んでいる。
【００４３】
図１に示すように、整形グリップ２０の内部で、制御基板６１を収容する区画の下端には、リング状の取付けボス６３が整形グリップ２０と一体に形成してあり、この取付けボス６３に整形ロッド２１の上部が圧嵌装着してある。また、キャップ１０の連結ボス５４を着脱するための連結リング６４が取付けボス６３に固定してある。図４に示すように、連結リング６４の上面および下面の前後の対向位置には、それぞれ一対の係合爪６７と、弾性連結腕６８が突設してある。さらに、連結リング６４の周面の左右の対向位置には、後述するストッパー９３をスライド案内するガイド凹部６９と、位置決め凹部７０とが形成してある。
【００４４】
図５に示すように、一対の係合爪６７を、先の取付けボス６３に設けた係合溝７１に下面側から係合することにより、連結リング６４が取付けボス６３に分離不能に固定される。このとき、位置決め凹部７０が整形グリップ２０の内面に設けた位置決め突起７２で位置決めされる（図４参照）。弾性連結腕６８の下端内面には、断面が半円状の連結爪７３が設けてあり、この連結爪７３が連結ボス５４の連結溝５５と係脱することにより、塗布体２と整形体３を一体化し、あるいは整形体３を塗布体２から分離することができる。
【００４５】
図６に示すように、整形ロッド２１は、左ロッド体２１ａと右ロッド体２１ｂとを蓋合わせ状に接合して形成してある。加熱整形部２２は、右ロッド体２１ｂの下端に設けてあり、上下方向へ一定間隔おきに配置した多数個の櫛歯２８で構成されて、その内部にヒーター２９とサーミスター７５と、感温変色素子７６とが配置してある。櫛歯２８の間は加熱窓７７として開口されており、各加熱窓７７においてヒーター２９の外表面が露出させてある。図７に示すように、櫛歯２８は、その突出寸法に比べて前後寸法が充分に大きな花弁状に形成してある。
【００４６】
図６においてヒーター２９は、内外一対の絶縁シート７８・７９と、両絶縁シート７８・７９の間に挟み保持される発熱素子８０とで面状ヒーターとして構成してあり、これら３者は熱硬化性の接着材で一体に固定してある。ヒーター２９を左右のロッド体２１ａ・２１ｂで確りと固定保持するために、左ロッド体２１ａの内面の多数個所にヒーター支持突起８１を設け、同突起８１と櫛歯２８とでヒーター２９の内外面を挟持している。
【００４７】
サーミスター７５はヒーター２９の上下方向の中央部に配置されており、左ロッド体２１ａの内面とサーミスター７５との間に配置した耐熱性のスポンジ（弾性体）８２で移動付勢されて、ヒーター２９の内面に密着している。感温変色素子７６の変色状態を視認するために、左ロッド体２１ａの下端寄りに視認窓８３が開口してある。ユーザーは、ヒーター２９を通電状態にしたのち、視認窓８３を介して感温変色素子７６の呈色状態を確認することにより、ヒーター２９の発熱状態が適温状態になったことを知ることができる。図４に示すように、右ロッド体２１ｂの内部には、発熱素子８０用のリード線８４と、サーミスター７５用のリード線８５を収容するリード線溝８６が区分壁を介して形成してある。
【００４８】
図８および図３においてスイッチ構造は、スイッチノブ３４でスライド操作される端子板８９と、端子板８９に固定される一対の山形の可動端子９０と、制御基板６１に設けた固定端子（図示していない）と、節度構造などで構成する。スイッチノブ３４は、整形グリップ２０の側面のノブ座９２で上下スライド自在に案内支持されており、その内面に棒状のストッパー９３と、一対の操作爪９４とが設けてある。ストッパー９３および操作爪９４のスライドを許すために、ノブ座９２にはスライド開口９５が形成してある。ノブ座９２の内面壁はストッパー９３をスライド案内するガイド壁を兼ねている。
【００４９】
スイッチノブ３４の下端には、不使用状態においてスイッチノブ３４がオン状態に切換わるのを防ぐ規制片９６が内向きに張出してある。ここでの不使用状態とは、整形体３が装着された塗布体２のねじ穴１６を容器１のねじ軸５に、最後までねじ込んだ状態を意味しており、この状態の規制片９６は容器１の肩壁で受止められている。また、スイッチノブ３４がオン状態に切換わっていた場合には、塗布体２をねじ軸５にねじ込むのに伴って規制片９６が容器１の肩壁で押上げられるため、スイッチノブ３４は強制的にオフ状態に切換えられる。
【００５０】
端子板８９のスイッチノブ３４との対向面には、操作爪９４と係合する四角形状の係合ボス９８が設けてあり、一対の操作爪９４が係合ボス９８と嵌合することにより、端子板８９がスイッチノブ３４で支持されている。図９において節度構造は、端子板８９の長辺部と一体に形成した弾性アーム９９と、弾性アーム９９の中央外面に設けた節度突起１００と、３個の節度凹部１０１を備えた一対の固定壁１０２などで構成する。固定壁１０２は整形グリップ２０の周囲壁の内面に一体に成形してある。
【００５１】
整形体３を使用してまつ毛を整形する場合の加熱整形部２２の温度状態と、塗布体２を使用してマスカラ液をまつ毛に塗布する場合の塗布部１２の温度状態とをそれぞれ好適化するために、スイッチ構造をスイッチノブ３４で３段階に切換え操作している。具体的には、スイッチノブ３４がノブ座９２の上端に位置している図８の状態がオフ状態であり、オフ状態からスイッチノブ３４が１段階押下げスライドされた図１３の状態が第１のオン状態である。また、第１のオン状態からスイッチノブ３４がさらに１段階押下げスライドされた図１４の状態が第２のオン状態である。
【００５２】
第１のオン状態においては、図１１に示すコンパレータ１０５からスイッチング素子にヒーター駆動信号が出力され、電池３３から発熱素子８０に駆動電流が供給されてヒーター２９の温度が上昇する。これに伴い、サーミスター７５の温度が上昇して抵抗値が減少するため、サーミスター７５にかかる電圧が低くなり、サーミスター７５と直列に接続した制御抵抗にかかる電圧が上昇する。そして、制御抵抗にかかる電圧が、図１２に示す基準電圧（低温側の基準電圧）を越えた時点で、コンパレータ１０５の出力が停止され、発熱素子８０に対する駆動電流の供給が停止されて、ヒーター２９の温度が低下する。また、ヒーター２９の温度が低下すると、サーミスター７５の温度が低下して抵抗値が増加するので、サーミスター７５にかかる電圧が高くなり、先の制御抵抗にかかる電圧が低くなる。そして、制御抵抗にかかる電圧が基準電圧（低温側の基準電圧）より低下した時点で、コンパレータ１０５からスイッチング素子にヒーター駆動信号が出力され、発熱素子８０に対する駆動電流の供給が再開される。以後、これを繰り返して、ヒーター２９の発熱状態を低温状態（４０℃）に維持する。なお、ヒーター２９の発熱状態はマスカラ液の組成や粘度特性等に応じて設定すればよく、低温状態は４０℃以外であってもよい。
【００５３】
第２のオン状態においては、基準電圧が高温側の基準電圧に切換わって、これをもとに上記と同様な制御を行って、ヒーター２９の発熱状態を高温状態（７０℃）に維持する。なお、低温側基準電圧および高温側基準電圧を供給する電源部と、コンパレータ１０５などは制御基板６１に設けてある。
【００５４】
不使用状態のマスカラ塗布具は、キャップ１０に設けたねじ穴１６がねじ軸５にねじ込まれて、塗布体２が容器１と一体化してあり、この状態の塗布ロッド１１および塗布部１２は、容器１に収容されたマスカラ液に浸漬している。また、整形体３の整形ロッド２１が塗布体２の塗布ロッド１１の内部に収容されて、塗布体２の連結ボス５４に設けた連結溝５５が、連結リング６４の弾性連結腕６８で係合捕捉されている。この状態の整形ロッド２１は、閉鎖構造の塗布ロッド１１の内部に収容されているので、加熱整形部２２を含む整形ロッド２１の全体がマスカラ液に浸漬されることはない。従って、不使用状態において、容器１内のマスカラ液が整形ロッド２１に付着することはない。不使用状態においては、スイッチノブ３４の規制片９６が容器１の肩壁で受止められて、下方への移動が規制された状態になっている。そのため、スイッチノブ３４が不用意に、第１のオン状態、あるいは第２のオン状態に切換わるのを確実に防止できる。また、先に説明したように、スイッチノブ３４がオン状態に切換わっていた場合には、塗布体２をねじ軸５にねじ込むのに伴って規制片９６が容器１の肩壁で押上げられるため、スイッチノブ３４は強制的に図８に示すオフ状態に切換えられる。
【００５５】
マスカラ塗布具を使用する場合には、整形体３と塗布体２を択一的に使用することにより、まつ毛を整形しカールする作業と、マスカラ液を塗布する作業を行なうことができる。まつ毛を整形しカールする場合には、図１５に示すように、連結ボス５４の連結溝５５と弾性連結腕６８の係合を解除する向きに整形体３を塗布体２から引抜き、加熱整形部２２を塗布ロッド１１から露出させる。その状態でスイッチノブ３４をスライド操作して第２のオン状態に切換え、ヒーター２９を発熱させる。しばらく待って、ヒーター２９の発熱状態が適温（７０℃）に加熱されたことを感温変色素子７６の呈色状態の変化で確認する。スイッチノブ３４を第２のオン状態に切換えた状態では、キャップ１０が塗布ロッド１１と共に容器１側に装着されているので、ストッパー９３がキャップ１０の規制部５６で受止められることはない。この状態の規制片９６は、図１４に示すように整形グリップ２０の下面開口より下方に位置している。
【００５６】
次に、櫛歯２８が上向きになる状態で整形ロッド２１を水平に支持し、まつ毛の湾曲中央部を櫛歯２８で梳き分けながら、ヒーター２９の外表面にまつ毛を接触させる。この状態で、まつ毛を上向きにすくい上げ、さらに加熱窓７７を眉毛の側へ回転させてまつ毛をカールさせる。さらに、カール部分をヒーター２９で加熱しながら、加熱整形部２２の全体を上向きに押し上げることにより、まつ毛を毛先部分まで確実にカールすることができる。同様にして、目頭側および目尻側のまつ毛を加熱整形部２２でカールすることができる。なお、まつ毛をカールさせるときは、捕捉したまつ毛がカール面３２に沿って横移動するのを櫛歯２８で規制でき、従って、隣接する櫛歯２８で捕捉したまつ毛の一群を適正にカールできる。
【００５７】
マスカラ液を塗布する場合には、整形体３を塗布体２に連結して加熱整形部２２を塗布ロッド１１内に収容し、再び整形体３を塗布体２と一体化する。この状態では図１６に示すように、ねじキャップ５２に設けた位置決めリブ５３が、整形グリップ２０に設けた位置決め溝５８と係合している。そのため、整形グリップ２０を緩み方向へ回動操作すると、ねじキャップ５２とねじ軸５とのねじ込み状態が解除されて、図２に示すように塗布体２を容器１から取外すことができる。このときのキャップ１０は、連結リング６４の弾性連結腕６８で係合捕捉されている。
【００５８】
塗布体２を容器１から取外した状態で、スイッチノブ３４をオン操作すると、スイッチ構造が第１のオン状態に切換わってヒーター２９を発熱させ、塗布部１２を適温（４０℃）に保持できる。これにより、塗布部１２に付着したマスカラ液の温度を上げて、マスカラ液を均一に拡散し流動しやすい状態に調整して、櫛歯１８の間に保持されたマスカラ液をまつ毛に付着させることができる。マスカラ液が不足する場合には、塗布部１２を容器１内に数回出し入れしてマスカラ液を付着させ、塗布部１２の周囲に付着した余分なマスカラ液をワイパー６でしごき落として、再度マスカラ液をまつ毛に付着させる。最後にマスカラコームを使用して、まつ毛を数回梳き流すことにより、まつ毛のカール形状を整えることができる。容器１内に出し入れする際の塗布部１２は、容器１に対して上下に出し入れするだけであるので、ねじ軸５とねじ穴１６の端部同士が接当した位置より下方に差込まれることはなく、従って、スイッチノブ３４がオフ位置へ戻されることはない。
【００５９】
なお、環境温度が低い場合には、整形グリップ２０を緩み方向へ数回回動して、ねじキャップ５２と容器１の肩部との間に、規制片９６が下降移動できる隙間を確保したのち、スイッチノブ３４をオン操作してヒーター２９を発熱させ塗布部１２を加熱する。この場合には塗布部１２がヒーター２９で４０℃に加熱されるので、容器１内のマスカラ液を加熱して粘度を下げ流動性を与えることができる。
【００６０】
上記のように、スイッチノブ３４を第１のオン状態に切換えた状態では、図１３に示すように、ストッパー９３の先端がねじキャップ５２の肩部分に設けた規制部５６で受止められる。そのため、スイッチノブ３４が、第１のオン状態を越えて第２のオン状態に切換えられることはなく、塗布部１２の温度を４０℃に保持できる。
【００６１】
以上のように、整形体３を塗布体２に装着した状態におけるヒーター２９の発熱温度を低温状態に設定して、ヒーター２９の出力を抑制すると、塗布部１２の温度が不必要に高くなるのを防止できる。また、塗布部１２を容器１内のマスカラ液に浸漬した状態では、溶剤などの揮発成分がいたずらに蒸散してマスカラ液が変質し劣化するのを防止しながら、その粘度を低下できる。従って、適度の流動性を備えたマスカラ液を塗布部１２に付着させて、まつ毛に対するマスカラ液の塗布を好適に行なうことができる。また、整形体３を塗布体２から分離してまつ毛の整形を行う状態におけるヒーター２９の発熱温度を高温状態に設定すると、加熱整形部２２の温度を高くして、まつ毛を効果的に加熱しながら整形して、的確にカールすることができる。
【００６２】
なお、整形体３が塗布体２に装着してあるときのヒーター２９の発熱温度が、整形体３を塗布体２から分離したときのヒーター２９の発熱温度と同じ高温状態に設定してある場合には、塗布部１２を容器１内に差込んでマスカラ液を加熱する際に、加熱熱量が過多となってマスカラ液が変質し劣化しやすい。このような状況を避けるには、例えば、塗布ロッド１１の内部空間を大きくし、あるいは塗布ロッド１１の肉厚を大きくすることで対応できるが、そうすると塗布ロッド１１が太くなり、あるいは直径が大きくなり、使い勝手が悪くなる。こうした、不具合を解消するために、整形体３を塗布体２に装着した状態におけるヒーター２９の発熱温度を低温状態に設定して、ヒーター２９の出力を抑制できるようにしている。
【００６３】
上記の実施例では、整形体３が塗布体２に装着してあるときのスイッチノブ３４の切換え動作を規制部５６で規制して、ヒーター２９の発熱温度を低温状態に設定したが、その必要はない。例えば、図１７および図１８に示すように、キャップ１０と整形グリップ２０との接当部に、整形体３が塗布体２に装着されたことを検知する検知スイッチ１１０を設けておき、この検知スイッチ１１０の検知信号に基づいてヒーター２９の発熱状態を低温状態に設定することができる。詳しくは、ロッドボス５７の上端に固定される導通リング１１１と、連結リング６４で出没自在に支持される一対の接触子１１２とで検知スイッチ１１０を構成する。両接触子１１２は、それぞればね１１３で進出付勢してある。整形体３が塗布体２に装着された状態においては、一対の接触子１１２が導通リング１１１に接触して導通するので、導通信号を受けた制御回路はヒーター２９の発熱温度を低温状態になるように駆動電流を供給する。この場合のスイッチノブ３４は、単にオン状態とオフ状態に切換わる押しボタン型のスイッチで構成するとよい。
【００６４】
上記の実施例では、規制部５６をねじキャップ５２の肩壁に設けたが、その必要はなく、連結ボス５４の周囲に張り出し形成することができる。また、スイッチノブ３４をオフ位置から上側へ押上げ操作したとき、第１のオン状態になるようにすることができる。その場合には、先の実施例で説明した規制片（ストッパー）９６をキャップ１０に設けた規制部５６で受止めて、スイッチノブ３４が第２のオン状態に押上げ操作されるのを規制することができる。ヒーター２９は面状ヒーターである必要はなく、ニクロム線を発熱素子にして構成してあってもよい。塗布要素１８としては、櫛歯以外にブリッスル束であってもよい。ヒーター２９の発熱状態は、第１、第２のオン状態以外に、両状態の中間の温度状態や、第２のオン状態より高温の温度状態に適宜設定することができる。本発明に係る美容器具は、容器１を省いて塗布体２と整形体３で構成することができる。その場合には、塗布体２の外面を保護キャップで覆うとよい。
【００６５】
図１９ないし図２５は本発明に係るマスカラ塗布具の別の実施例を示す。図１９および図２０においてマスカラ塗布具は、マスカラ液を収容する容器１と、容器１に対して着脱される塗布体２と、塗布体２に対して着脱される整形体３とで構成する。容器１は円筒状に形成してあり、その上端に塗布体２の出入口４が開口してある。出入口４の周面にはねじ軸５が形成してあり、出入口４の内面には余分に付着したマスカラ液をしごき落とすワイパー６が設けてある。ワイパー６は、ゴムまたはプラスチック材で形成した筒体からなり、その底壁にしごき開口７が形成してある。
【００６６】
塗布体２は、容器１の出入口４に着脱される円筒状の塗布グリップ（キャップ）１０と、容器１の内部に差し込まれる中空軸状の塗布ロッド１１と、塗布ロッド１１の下端部に設けられる塗布部１２とで構成する。塗布グリップ１０の内部は、隔壁１３で下区画１４と上区画１５とに区分されており、下区画１４の内周には、先のねじ軸５に対応するねじ穴１６が形成してある。上区画１５の内周にも同様のねじ穴１７が形成してある。図２１および図２２に示すように、塗布部１２はブリッスル束（塗布要素）１８の一群を、塗布ロッド１１の周囲に放射状に植設して構成してあり、ブリッスル束１８を構成するブリッスルの隙間、あるいはブリッスル束１８の基端部の間にマスカラ液を保持することができる。
【００６７】
整形体３は、円筒状の整形グリップ２０と、整形グリップ２０の下端から下向きに突出する中空の整形ロッド２１と、整形ロッド２１の下端（突端）に設けられる加熱整形部２２などで構成する。整形グリップ２０は、円筒状のグリップ本体２３と、グリップ本体２３の上端の開口を開閉するキャップ（電池蓋）２４とで構成してあり、グリップ本体２３の下端に先のねじ穴１７に対応するねじ軸２５が形成してある。キャップ２４はグリップ本体２３にねじ込み装着してある。
【００６８】
図２１において加熱整形部２２は、多段状に配置した一群の部分円弧状の櫛歯２８で構成されており、その内部にヒーター２９が配置してある。ヒーター２９は加熱整形部２２の内部の下端でＵ字状に折返される１本のヒーター線で構成してあり、このヒーター線は、絶縁材で形成したヒーター支持軸３０の周囲にニクロム線３１を螺旋状に巻付けて構成してある（図２２参照）。各櫛歯２８の間には、まつ毛をカールさせるためのカール面３２が形成してある。先のヒーター２９の一部は、カール面３２の間で露出しており、従って、まつ毛を加熱整形部２２でカールするとき、まつ毛をヒーター２９に接触させることができる。グリップ本体２３の内部には、ヒーター２９の電源となる電池３３が収容してあり、グリップ本体２３の周面にはヒーター２９への通電状態をオン・オフするスイッチノブ３４が設けてある。キャップ２４をグリップ本体２３から取外すことにより、電池３３を交換することができる。
【００６９】
塗布体２の塗布ロッド１１を出入口４から容器１の内部に差込み、その塗布グリップ１０に設けたねじ穴１６をねじ軸５にねじ込むことにより、出入口４を塗布体２で塞いで容器１を密封できる。この状態の塗布部１２と塗布ロッド１１の大半の部分は、容器に収容したマスカラ液に浸漬している。また、整形体３の加熱整形部２２および整形ロッド２１を、上区画１５から塗布ロッド１１の内部に差込み、グリップ本体２３に設けたねじ軸２５を塗布グリップ１０に設けたねじ穴１７にねじ込むことにより、整形体３を塗布体２と一体化することができる。
【００７０】
上記のように、容器１と塗布体２と整形体３を一体化した状態において、マスカラ塗布具の外観上の印象をシンプルなものとするために、容器１と、塗布体２と、整形体３のそれぞれの断面形状と直径を同一に形成している（図２３参照）。さらに、容器１と、塗布体２と、整形体３を、下から記載した順番で隣接するように直線状に配置している。ねじ軸５を除く容器１の上下長さは、ねじ軸２５を除く整形グリップ２０の上下長さと略同じであり、塗布グリップ１０の上下長さは、ねじ軸５を除く容器１の上下長さの３分の１である。
【００７１】
容器１と塗布体２と整形体３を一体化した状態の加熱整形部２２は、図２１に示すように、整形ロッド２１とともに塗布ロッド１１内に収容されて塗布部１２の内部に位置している。従って、スイッチノブ３４をオン操作すると、ヒーター２９を発熱させて加熱整形部２２を加熱し、さらに加熱整形部２２の熱を塗布ロッド１１の筒壁を介して塗布部１２へ伝導することができる。発熱状態における加熱整形部２２の温度は約７０℃であり、塗布部１２における塗布ロッド１１の周面の温度は４０〜５０℃である。塗布部１２を容器１内に装填した状態でヒーター２９を発熱させると、固化しかけた状態のマスカラ液を加熱して４０℃前後に温めることができる。
【００７２】
上記のように構成したマスカラ塗布具は、まつ毛を整形しカールする作業と、マスカラ液を塗布する作業を行う際に使用することができる。まつ毛を整形しカールする際には、図２５（ａ）に示すように、整形体３を塗布体２から取外して、加熱整形部２２を露出させ、その状態でスイッチノブ３４をオン操作してヒーター２９を発熱させる。次に、櫛歯２８が上向きになる状態で整形ロッド２１を水平に支持し、まつ毛の湾曲中央部を櫛歯２８で梳き分けながらカール面３２をまつ毛にあてがう。この状態で、まつ毛をヒーター２９で加熱しながら上向きにすくい上げ、さらにカール面３２を眉毛の側へ回転させてまつ毛をカールさせる。この状態を保持してカール部分をヒーター２９で加熱しながら、加熱整形部２２の全体を上向きに押し上げることにより、まつ毛を毛先部分まで確実にカールすることができる。同様にして、目頭側および目尻側のまつ毛を加熱整形部２２でカールすることができる。なお、まつ毛をカールさせるときは、捕捉したまつ毛がカール面３２に沿って横移動するのを櫛歯２８で規制でき、従って、隣接する櫛歯２８で捕捉したまつ毛の一群を適正にカールできる。この場合に、整形体３を容器側から取外しても、塗布体２が容器１に取付けてあれば、マスカラ液がこぼれることはない。
【００７３】
まつ毛の整形およびカール作業が終わったら、塗布体２を使用してマスカラ液を塗布する。このとき、環境温度が低い場合には、図２５（ｂ）に示すように、塗布体２の内部に整形体３を装填して、スイッチノブ３４をオン操作し、ヒーター２９を発熱させた状態で塗布作業を行なうことにより、塗布部１２を加熱整形部２２で加熱することができる。従って、塗布部１２に付着したマスカラ液の温度を上げて、均一に拡散し流動した状態のマスカラ液を塗布できる。なお、環境温度が高い場合には、スイッチノブ３４をオン操作する必要はない。また、整形体３を塗布体２と一体化した状態では、図２４に示すように、塗布グリップ１０と整形グリップ２０を、鉛筆を握り締めるようにして持つことができるので、塗布部１２を安定した状態で保持してマスカラ液の塗布を簡便に行なうことができる。
【００７４】
最後にマスカラコームを使用して、まつ毛を数回梳き流すことにより、まつ毛のカール形状を整えることができる。なお、上述したように、塗布部１２を加熱する必要がない場合には、スイッチノブ３４をオフ操作しておく。あるいは、整形体３を塗布体２から分離した状態のままで、塗布グリップ１０を摘んでマスカラ液を塗布することができ、その場合には、塗布グリップ１０の摘み姿勢や傾きを自由に変更できる。例えば、先端のブリッスル束１８の毛先を使って目頭や目尻に位置する短いまつ毛にマスカラ液を塗布し、あるいは塗布したマスカラ液の塗布状態を整えることができる。このように、ユーザーは各グリップ１０・２０を好みの状態にして、塗布体２によるマスカラ液の塗布と、整形体３によるまつ毛の整形とを行えるので、マスカラ塗布具の使い勝手を向上できる。
【００７５】
以上のように、マスカラ液を塗布する塗布体２の内部にまつ毛の整形を行う整形体３を配置し、整形体３に設けた加熱整形部２２をヒーター２９で加熱すると、加熱整形部２２をまつ毛の整形に適した温度状態にして、まつ毛のカールを好適に行える。さらに、塗布部１２および加熱整形部２２を容器１内に収容した状態においては、マスカラ液および塗布部１２を、加熱整形部２２から伝導される熱で間接的に加熱できるので、塗布部１２の温度が不必要に高くなるのを防止でき、従って、マスカラ液が過度に加熱されて劣化するのを防ぎながら、その粘度を低下できる。このように、塗布体２の内部に整形体３を配置するマスカラ塗布具によれば、まつ毛を適温に加熱しながら整形してカールでき、あるいはマスカラ液を適温に加熱して劣化を防ぎながら粘度を低下できることとなる。
【００７６】
図２６から図２９にマスカラ塗布具の別実施例を示す。なお、これらの別実施例においては、上記の実施例と異なる部分を主に説明し、上記の実施例と同じ部材には同じ符号を付してその説明を省略する。図２６に示すマスカラ塗布具は、塗布ロッド１１の下端に一群の櫛歯３８を一体に成形して塗布部１２とした。櫛歯３８の直線列は、塗布ロッド１１の対向周面の二個所に配置した。また、塗布グリップ（キャップ）１０の上区画１５にねじ穴の代わりに圧嵌溝３９を周回状に形成し、整形グリップ２０のねじ軸の代わりに圧嵌リブ４０を周回状に形成した。この実施例では、整形体３を塗布体２に装着した状態において、圧嵌リブ４０が圧嵌溝３９に係合して、整形体３の装着状態を維持できる。
【００７７】
図２７に示すマスカラ塗布具は、塗布体２の塗布グリップ（キャップ）１０の上区画１５を、整形体３の整形グリップ２０よりひとまわり大きく形成して、整形体３を塗布体２に装着した状態において、整形グリップ２０を上区画１５の内部に収納できるようにした。また、整形体３の取出しを容易に行なうために、キャップ２４の周面の対向位置に一対の摘み片４３を膨出する状態で形成した。整形体３を塗布体２に装着した状態においては、摘み片４３が上区画１５の上端周面の２個所に形成した溝４４から露出するので、一対の摘み片４３を親指と人差し指で摘んで整形体３を塗布体２から取出すことができる。スイッチノブ３４はキャップ２４の上端面に配置した。なお、整形体３を塗布体２に装着した状態において、整形グリップ２０を上区画１５の内面に軽く圧嵌させることにより、整形体３の装着状態を維持することができる。
【００７８】
図２８に示すマスカラ塗布具においては、ヒートパイプやアルミニウムで形成した丸軸状の伝熱軸４６と、伝熱軸４６の外面を覆う断熱性を有するプラスチック製の被覆体４７とで整形ロッド２１を構成し、被覆体４７から露出する伝熱軸４６の下部に加熱整形部２２を設けた。また、整形グリップ２０の内部にＰＴＣヒーター（ヒーター）２９を配置して、伝熱軸４６の上端に設けた受熱部４８をＰＴＣヒーター２９に密着させるようにした。さらに、伝熱軸４６に周回状の溝の一群を形成して、溝の間に形成される多段状の櫛歯２８で加熱整形部２２を構成した。このように、加熱整形部２２は、ヒーター２９から伝熱軸４６を介して間接的に伝導される熱で加熱することができる。
【００７９】
図２９に示すマスカラ塗布具においては、容器１、塗布体２の塗布グリップ（キャップ）１０および整形体３の整形グリップ２０の外面の断面を、各辺部が外膨らみ状の正方形となるようにした。このように容器１、塗布グリップ１０、および整形グリップ２０の断面形状は、楕円、長円、多角形、ハート形など任意形状を選定することができる。また、塗布グリップ１０と整形グリップ２０とは、両者が結合できるものでありさえすれば、両者の外形の違いや、外形の太さの違いとは無関係に自由に選定できる。
【００８０】
上記の実施例以外に、整形体３を塗布体２に装着した状態の加熱整形部２２は、塗布ロッド１１の内部で塗布部１２の近傍に位置する状態で配置することができる。塗布部１２は、ブリッスル束１８と櫛歯３８とが混在する状態で形成することができる。整形グリップ２０の外面には、ヒーター２９が通電状態にあるとき点灯する表示灯や、電池３３の起電力が所定値以下になった場合に点灯する表示灯などを設けることができる。また、電池３３を２次電池で構成して充電式のマスカラ塗布具とすることができる。とくに、２次電池と充電のための接点を整形グリップ２０に配置しておくと、整形体３を塗布体２から取外した状態で充電できるので、容器１内のマスカラ液にとって好ましくない高温環境あるいは低温環境などの環境であっても、容器１およびマスカラ液を好ましくない環境に晒すこともなく２次電池を充電できる。この場合の容器１は塗布体２で封止されているので、マスカラ液が流出することはない。
【００８１】
なお、図１９に示す実施例では、塗布体２の塗布部１２と、整形体３の加熱整形部２２とは、内外に対向できるように各ロッド１１・２１の長さを設定したが、環境温度が高く、マスカラ液の予備加熱を必要としない場合には、整形ロッド２１の長さを短くすることができ、これに伴い、整形ロッド２１によるヒーター２９の熱拡散を抑制することができる。また、整形ロッド２１は、ヒーター２９に電力を供給できる構造であることを満足できる限り、熱伝導性の低い素材や形状であることが好ましく、例えば、ポリプロピレン、ＡＢＳ、フッ化ビニリデン、軟質ＰＶＣ、ポリスチレン、アクリルスチロールなどを適用できる。さらに、整形ロッド２１は発泡成形品、なかでも独立発泡成形品で形成することが好ましい。
【００８２】
塗布ロッド１１および整形ロッド２１の断面形状は、楕円状や多角形状であってもよい。また、塗布ロッド１１は、マスカラ液が固着しにくいシリコン、フッ素、ポリプロピレン、ポリエチレンなどの撥水性が高く、柔軟な樹脂チューブで形成することができる。その場合には、柔軟性を有する塗布ロッド１１の内部に、塗布ロッド１１より剛性が大きく硬い整形ロッド２１を挿入することで、塗布ロッド１１の外形を軸方向に沿って直線状に矯正できるので、使用上支障は生じない。
【符号の説明】
【００８３】
１  容器
２  塗布体
３  整形体
１０  キャップ
１１  塗布ロッド
１２  塗布部
２０  整形グリップ
２１  整形ロッド
２２  加熱整形部
２９  ヒーター
３３  電池
３４  スイッチノブ
５２  ねじキャップ
５４  連結ボス
５５  連結溝
５６  規制部
６４  連結リング
９２  ノブ座
９３  ストッパー
１１０  検知スイッチ
【図１】
2014073241.tif 000003
【図２】
2014073241.tif 000004
【図３】
2014073241.tif 000005
【図４】
2014073241.tif 000006
【図５】
2014073241.tif 000007
【図６】
2014073241.tif 000008
【図７】
2014073241.tif 000009
【図８】
2014073241.tif 000010
【図９】
2014073241.tif 000011
【図１０】
2014073241.tif 000012
【図１１】
2014073241.tif 000013
【図１２】
2014073241.tif 000014
【図１３】
2014073241.tif 000015
【図１４】
2014073241.tif 000016
【図１５】
2014073241.tif 000017
【図１６】
2014073241.tif 000018
【図１７】
2014073241.tif 000019
【図１８】
2014073241.tif 000020
【図１９】
2014073241.tif 000021
【図２０】
2014073241.tif 000022
【図２１】
2014073241.tif 000023
【図２２】
2014073241.tif 000024
【図２３】
2014073241.tif 000025
【図２４】
2014073241.tif 000026
【図２５】
2014073241.tif 000027
【図２６】
2014073241.tif 000028
【図２７】
2014073241.tif 000029
【図２８】
2014073241.tif 000030
【図２９】
2014073241.tif 000031